(57)【要約】【課題】  テーブル下部空間を遮温シートで囲い、密度の濃い暖気をテーブル下部空間にしっかり留保する事が出来る構造のテープルを提供すること。【解決手段】  こたつ機能を備えた前記テーブル天板裏面に複数の脚を設け、前記天板の裏面に前記脚どうしを連結する桁が取り付かれた前記テーブルに於いて、前記桁の内側の前記天板の裏面に遮温シートを遮温シートを吊る吊り具を備えた吊り下げレールが取り付けられ、前記遮温シートは前記天板の長手方向途中で前記天板の中央部方向に向かって折れ、更に鍵形に迂回して吊り下げられる様に構成されている形態を備える。【選択図】図１
2014144019.tif 000002
【特許請求の範囲】
【請求項１】
天板の裏面に複数の脚を設け、前記天板の裏面に前記脚どうしを連結する桁が取り付けられたテーブルに於いて、前記桁の内側の前記天板の裏面に遮温シートを吊る吊り具を備えた吊り下げレールが取り付けられ、前記遮温シートは前記天板の長手方向途中で前記天板の中央部方向に向かって折れ更に鍵形に迂回して吊り下げられる様に構成されている事を特徴とするテーブル。
【請求項２】
請求項１記載のテーブルであって、前記レールに前記遮温シートの上部に２連ヒダを設け、同２連ヒダどうしの間に、鳩目金具を取り付け前記遮温シート吊り元に係る部分に帯状の吊り元補強材を重ね合わせ糸で縫合した前記遮温シート２連ヒダを吊る、吊り具を備えた吊り下げレールに吊り下げる様に構成されている事を特徴とするテーブル。
【請求項３】
請求項２記載のテーブルであって、前記遮温シートの吊り元に係る部分に前記鳩目金具の両脇にヒダを配した遮温シート２連ヒダを施し前記遮温シート全体の裾巾を広げる形態を特徴とするテーブル。
【請求項４】
請求項１から請求項３のいずれか１項記載のテーブルであって、前記遮温シートの丈を前記天板の裏面から床面までの丈より長手方向部は１５ｃｍ〜２０ｃｍ長く、短手方向部は１０ｃｍ〜１５ｃｍ長くする形状に構成されている事を特徴とするテーブル。
【請求項５】
請求項１から請求項４のいずれか１項記載のテーブルであって、前記天板の裏面の中央部に発熱器を固定した形態を特徴とするテーブル。
【発明の詳細な説明】
【技術分野】
【０００１】  本発明は、断熱効率の高い素材の遮温シートを桁四周に沿って吊り巡らせてテーブル下部空間部に気密性の高い暖気を留保する事が出来るテーブルに関する。
【背景技術】
【０００２】  日本国民に長く親しまれてきた伝統ある和式こたつの形態は櫓の上にふとんを掛け、その上に天板を置く構造となっているが現在の家庭生活に於いては急速に椅子生活様式に移行している。これ迄にこたつ布団を直接天板に取り付ける構成やテーブルの天板の裏面にカーテンレールを付け、こたつ布団に変わる素材を前記カーテンレールに吊す考案も紹介されている。【０００３】  畳生活習慣の中で生まれたこたつの使用形態は、こたつ櫓の高さが低く畳及び床板に着座して重心が低い体制で使用するので両脇からの隙間風が流入する部分が小さく暖気の気密性が保たれている。【０００４】    特許文献１は、前記テーブル天板の裏面又はやぐら部又は脚部間の３面に遮蔽布を配し、前記テーブル短手方向開口部に面した外側部に配した温風暖房機から天板裏面下部空間に向かって連続的に温風を吹き込み前記天板裏面下部空間部に充満させた温風を押しだし部屋全体をも暖めることを構成としたテーブルが記載されている。【０００５】  特許文献２には机を囲む様にカーテンレールを埋め込んでカーテンを吊るし、机の下部床上に暖房器具を配して前記カーテンの開閉操作を行うことで足下の保温調節をする発明が記載されている。【０００６】  特許文献３には和式こたつ天板裏面にこたつ布団を固定プレートとＴ字ロックピンを併用して天板及び支持脚にこたつ布団を直接又は直接的に取り付ける構成のこたつで有り、吊り込む布団形状が正方形状の中央部に四角形状の切り取り部がある四角環状体とするテーブルが記載されている。
【先行技術文献】
【特許文献】
【０００７】
【特許文献１】  特開２００７−１９００４０号  公報
【特許文献２】  特開２００８−１８１９８号  公報
【特許文献３】  特開２０１１−１０６７９７号  公報
【発明の概要】
【発明が解決しようとする課題】
【０００８】  しかしながら特許文献１に記載の様なテーブルに遮蔽布を吊る配置構成は、こたつとしての目的である前記テーブル内部の気密性の高い暖気留保機能が全く阻害されている。又テーブル外部に配した前記温風暖房機からテーブル下部空間に吹き込まれる温風で暖気が充満となりテーブル下部空間から押し出され部屋全体を暖めるには、部屋の規模及び部屋の断熱構造によって温風暖房機の熱源供給容量が大幅に変わり、前記温風暖房機の長時間連続運転が必要となり多量の電力消費となる。更に前記部屋全体の断熱構造設備に大掛かりな工事と費用が必要となる。【０００９】  机の天板に机を囲む様にカーテンレールを取り付けた机の下に暖房器具を配しカーテンの開け閉めで保温効果を上げる構成を特許文献２で示しているがカーテンの開方時の度に無駄な暖気流出となる。更に一般に市販されている暖房器具には温度調節機か゛付備されており自由にこたつ内部の温度調節が可能でありカーテンの開閉による温度調節は不合理である。又カーテンの接続構成が本発明と根本的に異なる。本発明は必要な暖気密度の濃い暖気を前記テーブル下部空間に如何に効率良く留保するかを目的としたものである。【００１０】  特許文献３は本発明の前記テーブル天板の裏面に遮温シート３を吊る吊り具を備えたレールに遮温シート３を吊り込む構成及び形態が大きく異なっている。及び吊り込む布団形状が正方形状に中央部に四角形状の切り取り部がある四角環状体としているが、本発明の布団形状は長方形である。【００１１】  そのため本発明は長く親しまれてきた畳に着座して温もりを甘受してきた伝統あるこたつ形態から現代生活に合った形態のこたつ機能を備えた遮温シート３付きのテーブルと遮温シート３付きクッション１４椅子カバーＢの提供。及び一般市場に出された既製品家具洋式テーブルと食卓テーブル及び和式テーブルに前記テーブルＡを構成する部品をユニットタイプにしたユニット機材を提供してこたつ機能を備えた遮温シート３付前記テーブルと遮温シート３付きクッション１４カバーを提供することを目的にされたものである。
【課題を解決するための手段】
【００１２】  上記目的を達成させるため、天板１裏面に複数の脚を設け、前記天板１裏面に前記脚どうしを連結する桁が取り付けられたテーブルに於いて、前記桁の内側の前記天板１裏面に遮温シート３を吊る吊り具を備えた吊り下げレール４が取り付けられ、前記遮温シート３は天板１の長手方向途中で前記天板の中央方向部に向かって折れ、更に鍵形に迂回して吊り下げられる様に構成したテーブルを提供する。【００１３】  更に本発明は、前項記載のテーブルＡであって、前記吊り下げレール４に前記遮温シート３上部に２連ヒダを設け、同ヒダどうしの間に鳩目金具８を取り付ける。前記遮温シート３吊り元に係る部分に帯状の吊り元補強材９を重ね合わせ糸で縫合した前記遮温シート２連ヒダどうしの間に取り付けた鳩目金具８を吊る吊り具を備えた吊り下げレール４に吊り下げ、前記遮温シート３の裾巾が広がる形態としたテーブルを提供する。【００１４】  更に前項記載のテーブルＡであって、前記遮温シート３の丈を前記天板１から床面迄の丈より前記テーブルＡ長手方向部は１５ｃｍ〜２０ｃｍ長く、短手方向部は１０ｃｍ〜１５ｃｍ長くする形状に構成したテーブルを提供する。
【発明の効果】
【００１５】  本発明のテーブルでは、前記テーブルＡ下部空間を遮温シート３で囲い、密度の濃い暖気を前記テーブルＡ下部空間部にしっかり留保する事が出来る。
【図面の簡単な説明】
【００１６】  Ａは本発明の実施例であるテーブル、Ｂは本発明の実施例である遮温シート３付きクッション１４椅子カバーの斜視図。
【図２】  図１中の天板１の裏平面図。
【図３】  図２中のＩ−Ｉ部断面図。
【図４】  図３中のＩＩ部拡大図。
【図５】  図３中のＩＩＩ部拡大図。
【図６】  図１中のＩＶ部拡大図。
【図７】  図１中のＶ部遮温シート２連ヒダ８と鳩目金具７拡大図。
【図８】  図７の断面図。
【図９】  図２中の吊り下げレール４と可動吊り具５及び固定吊り具６配置図。
【図１０】  図３中のＶＩＩ−ＶＩＩ部遮温シート３床伏平面図。
【図１１】
2014144019.tif 000003
【図１２】
2014144019.tif 000004
【図１３】  図１中の遮温シート３付きクッション１４椅子カバーＢ断面斜視図。
【図１４】  図１０中の遮温シート３付きクッション１４椅子カバー平面図。
【発明を実施するための形態】
【００１７】  本発明の実施形態を図１から１４に基づいて具体的に説明する。
【００１８】  図１記載の本発明に係るこたつ機能を備えた遮温シート３付きテーブルＡ及び遮温シート３付きクッション１４椅子カバー。
【００１９】  図２記載の図１中の天板１の裏面平面図である。
【００２０】  図３に記載する前記テーブルの天板１の裏面中央部に断熱板１５と発熱器１４を配した天板１の裏面に複数の脚を設け、前記脚どうしを連結する桁２が取り付けられた前記テーブルに於いて、前記桁２の内側の前記天板１の裏面に前記遮温シート３を吊る吊り具を備えた吊り下げレール４が取り付けられ前記遮温シート３を吊り巡らせる。又は前記テーブルに於いて前記桁２の外側部の前記天板１の裏面に前記遮音シート３を吊る吊り具を備えた吊り下げレール４を配し前記遮温シート３を吊り巡らせる形態もよい。尚ユニットタイプの吊り下げレールは前記吊り下げレール４に吊り下げレール受け木１７を付備し、前記テーブルの裏面に取り付ける。
【００２１】  図４に記載する前記天板１の裏面に取り付けられた前記吊り下げレール４の吊り具に接続する前記遮温シート２連ヒダ８の上端は、吊り下げレール４の下部に接する形態とする
【００２２】  図５に記載する図３中ＩＩＩ部拡大図の発熱器１０を前記テーブル天板１裏面中心部に配し、長手方向中央部で短手方向と平行に断熱板１１を備えたアングル１２を発熱器１０の両脇を挟み込む様に配し脱着可能な形態で、前記発熱器１０を化粧ネジ゛１５でしっかり固定する。尚ユニットタイプの前記アングル１２は前記テーブル天板１裏面に接する部に工業用両面テープを施し、前記テーブル天板１裏面に取り付ける形態とする。
【００２３】  図６．図７．図８に記載する前記テーブル天板１裏面の前記遮温シート３を吊る吊り具を備えた吊り下げレール４に前記遮温シート３の吊り元に係る上部に２連ヒダを設け、同２連ヒダどうしの間に、鳩目金具７を設け前記遮温シート２連ヒダ８の吊り元に係る部分に帯状の吊り元補強材９を重ね合わせ糸で縫合した前記遮温シート２連ヒダ８を吊る吊り具を備えた吊り下げレール４に吊り下げ前記遮温シート３の裾巾を広げ、前記テーブルＡ下部空間の暖気留保効果を上げる形態とする。
【００２４】  図９記載の吊り下げレール４と可動吊り具５及び固定吊り具６の配置図は、前記テーブル天板１裏面の吊り下げレール４の両端部は固定吊り具６を配し、中間部は全て可動吊り具５を配する構成とし、前記テーブルに於いて前記遮温シート３が使用者の動作による遮温シート３を引っ張る力に対応して遮温シート３吊り元が可動吊り具と連動して引っ張る力の分散を図る形態とする。
【００２５】  図９に記載する前記テーブル裏面天板１に前記遮温シート３を長手方向中間部から、前記天板１裏面の短手中央部に向かって直角に折れ曲がり発熱器具受け木１３に配された固定吊り具６から鍵形に迂回して吊り下げ回し前記長手方向中間部に三方を遮温シート３に囲まれた長方形に構成された区画空間を設け前記テーブルの隣席者間に出来る遮温シート３裾と床の隙間を塞ぎ、前記テーブル下部空間の暖気流出を防ぐと共に隣席者との間に独自性を持たせる形態とする。
【００２６】    図１０記載の図３中のＶＩＩ−ＶＩＩ部遮温シート３床伏平面図である。前記テーブルの長手方向の前記遮温シート３の丈を前記テーブルの高さより１５ｃｍ〜２０ｃｍ長く、短手方向の丈は１０ｃｍ〜１５ｃｍ長く取った形状で前記テーブル四周に遮温シート３を配し、前記テーブル下部空間に前記遮温シート３の裾と床の隙間より冷気が流入するのを防ぐ形態とする。
【００２７】
2014144019.tif 000005
【００２８】
2014144019.tif 000006
【００２９】
2014144019.tif 000007
固定吊り具６に向かう前記遮温シート３に積層して接合部の隙間を塞ぐ。又対面する前
2014144019.tif 000008
シート３に積層して接合部の隙間を塞ぎ暖気流出防止の形態を構成する。
【００３０】  図１４に記載する遮温シート３付きクッション１４椅子カバーを椅子座席に配する。
【００３１】  本発明で提供するこたつ機能を備えた前記遮温シート３付き前記テーブルＡの各部品をユニットタイプとしたユニット機材を、すでに市場に出ている既製家具の洋式テーブル又は食卓テーブル又は和式テーブルと椅子で、一般家庭で使用中もしくは納戸入りしている前記家具に前記テーブルユニット機材を提供し、本発明のこたつ機能を備えた前記遮温シート３付き前記テーブルＡと前記遮温シート３付きクッション１４カバーを提供。
【００３２】  尚、本発明では上記実施形態及び構成等で吊り構造を使った遮温シート３及び吊り下げレール４の素材．形態等及び既製改良家具等に付き言及しているが、本発明の目的効果を奏する範囲に於いてその他の素材．形態、構成等をも包含する事は無論である。
【符号の説明】
【００３３】  Ａ    テーブル
Ｂ    椅子カバー
１    天板
２    桁
３    遮温シート
４    吊り下げレール
５    可動吊り具
６    固定吊り具
７    鳩目金具
８    遮温シート２連ヒダ
９    吊り元補強材
１０    発熱器
１１    断熱板
１２    断熱板付きアングル
１３    発熱器受け木
１４    クッション
１５    化粧ネジ
１６    アングル受け木
１７    レール受け木
【図１】
2014144019.tif 000009
【図２】
2014144019.tif 000010
【図３】
2014144019.tif 000011
【図４】
2014144019.tif 000012
【図５】
2014144019.tif 000013
【図６】
2014144019.tif 000014
【図７】
2014144019.tif 000015
【図８】
2014144019.tif 000016
【図９】
2014144019.tif 000017
【図１０】
2014144019.tif 000018
【図１１】
2014144019.tif 000019
【図１２】
2014144019.tif 000020
【図１３】
2014144019.tif 000021
【図１４】
2014144019.tif 000022
【手続補正書】
【提出日】平成24年12月19日(2012.12.19)
【手続補正１】
【補正対象書類名】明細書
【補正対象項目名】００１６
【補正方法】変更
【補正の内容】
【００１６】
【図１】  Ａは本発明の実施例であるテーブル、Ｂは本発明の実施例である遮温シート３付きクッション１４椅子カバーの斜視図。
【図２】  図１中の天板１の裏面平面図。
【図３】  図２中の１−１部断面図。
【図４】  図３中のＩＩ部拡大図。
【図５】  図３中のＩＩＩ部拡大図。
【図６】  図１中のＩＶ部拡大図。
【図７】  図１中のＶ部遮温シート２連ヒダ８と鳩目金具７の拡大図。
【図８】  図７の断面図。
【図９】  図２中の吊り下げレール４と可動吊り具５及び固定吊り具６の配置図。
【図１０】  図３中のＶＩＩ−ＶＩＩ部遮温シート３の床伏平面図。
【図１１】
2014144019.tif 000023
【図１２】
2014144019.tif 000024
【図１３】  図１中の遮温シート３付きクッション１４椅子カバ−Ｂの断面斜視図。
【図１４】  図１０中の遮温シート３付きクッション１４椅子カバ−Ｂの平面図。